(57)【要約】【課題】車輪の高さ位置調節機能を損なうことなく、把手と車輪ユニットとを正面から見て近接して設けることが出来るようにする。【解決手段】把手２３は、引き戸本体２２の後面から引き戸本体２２に形成された貫通孔２７を通じて把手２３の上下部に形成されたねじ孔２８にねじ嵌められた上下の把手固定ねじ２９により引き戸本体２２に固定されている。左側の引き戸１３の上部左側（上部一番左側）の車輪ユニット２４は、上側の把手固定ねじ２９と重なるかたちで引き戸本体２２に固定されるようになされている。【選択図】  図３
2004339856.tif 000002
【特許請求の範囲】
【請求項１】
引き戸本体と、この引き戸本体の前面に取り付けられた把手と、引き戸本体の後面に取り付けられた車輪ユニットとを有し、前記把手は、引き戸本体の後面から引き戸本体に形成された貫通孔を通じて把手の上下部に形成されたねじ孔にねじ嵌められた上下の把手固定ねじにより引き戸本体に固定され、前記車輪ユニットは、前後方向に貫通した、高さ方向の中間部に位置する枢軸孔を有する揺動ブラケットと、枢軸孔を通じて引き戸本体にねじ嵌められた支持ねじと、揺動ブラケットの、枢軸孔を境とした上部又は下部に枢軸孔から水平方向に所定距離だけ離れた位置に位置するようにして設けられた軸心を前後方向に向けた車軸と、この車軸に回転自在に設けられた車輪と、前記揺動ブラケットの、枢軸孔を境として車輪と反対側部に形成された、左右方向に長い長孔と、この長孔を通じて引き戸本体にねじ嵌められた固定ねじとを有し、前記固定ねじを緩めた状態では、固定ねじは揺動ブラケットの揺動を許容するようになされ、前記揺動ブラケットは、一方の把手固定ねじと重なるかたちで引き戸本体に固定されるようになされ、揺動ブラケットには把手固定ねじの頭部が嵌まる開口が形成され、この開口は、揺動ブラケットの、支持ねじを中心とする揺動を許容する大きさとなされ、この開口の近傍に、揺動ブラケットを膨出させてなる補強リブが形成されている収納庫の引き戸。
【請求項２】
引き戸本体と、この引き戸本体の前面に取り付けられた把手と、引き戸本体の後面に取り付けられた車輪ユニットとを有し、前記把手は、引き戸本体の後面から引き戸本体に形成された貫通孔を通じて把手の上下部に形成されたねじ孔にねじ嵌められた上下の把手固定ねじにより引き戸本体に固定され、前記車輪ユニットは、前後方向に貫通した、高さ方向の中間部に位置する枢軸孔を有する揺動ブラケットと、枢軸孔を通じて引き戸本体にねじ嵌められた支持ねじと、揺動ブラケットの、枢軸孔を境とした上部又は下部に枢軸孔から水平方向に所定距離だけ離れた位置に位置するようにして設けられた軸心を前後方向に向けた車軸と、この車軸に回転自在に設けられた車輪と、前記揺動ブラケットの、枢軸孔を境として車輪と反対側部に形成された、左右方向に長い長孔と、この長孔を通じて引き戸本体にねじ嵌められた固定ねじとを有し、前記固定ねじを緩めた状態では、固定ねじは揺動ブラケットの揺動を許容するようになされ、前記揺動ブラケットは、一方の把手固定ねじと重なるかたちで引き戸本体に固定されるようになされ、揺動ブラケットには把手固定ねじの頭部が嵌まる凹所が形成され、この凹所は、揺動ブラケットの、支持ねじを中心とする揺動を許容する大きさとなされている収納庫の引き戸。
【発明の詳細な説明】
【０００１】
【発明の属する技術分野】
本発明は収納庫の引き戸に関する。
【０００２】
【発明の目的】
本発明は、引き戸本体と、この引き戸本体の前面に取り付けられた把手と、引き戸本体の後面に取り付けられた車輪ユニットとを有し、前記車輪ユニットの車輪の高さ位置調節が可能となされた収納庫の引き戸において、車輪の高さ位置調節機能を損なうことなく、把手と車輪ユニットとを正面から見て近接して設けることが出来るようにすることを目的とするものである。（参考文献：特開平７−６２，９４５号公報）
【０００３】
【前記目的を達成するための手段】
本発明は前記目的を達成するために以下の如き手段を採用した。
（１）請求項１の発明は、引き戸本体と、この引き戸本体の前面に取り付けられた把手と、引き戸本体の後面に取り付けられた車輪ユニットとを有し、前記把手は、引き戸本体の後面から引き戸本体に形成された貫通孔を通じて把手の上下部に形成されたねじ孔にねじ嵌められた上下の把手固定ねじにより引き戸本体に固定され、前記車輪ユニットは、前後方向に貫通した、高さ方向の中間部に位置する枢軸孔を有する揺動ブラケットと、枢軸孔を通じて引き戸本体にねじ嵌められた支持ねじと、揺動ブラケットの、枢軸孔を境とした上部又は下部に枢軸孔から水平方向に所定距離だけ離れた位置に位置するようにして設けられた軸心を前後方向に向けた車軸と、この車軸に回転自在に設けられた車輪と、前記揺動ブラケットの、枢軸孔を境として車輪と反対側部に形成された、左右方向に長い長孔と、この長孔を通じて引き戸本体にねじ嵌められた固定ねじとを有し、前記固定ねじを緩めた状態では、固定ねじは揺動ブラケットの揺動を許容するようになされ、前記揺動ブラケットは、一方の把手固定ねじと重なるかたちで引き戸本体に固定されるようになされ、揺動ブラケットには把手固定ねじの頭部が嵌まる開口が形成され、この開口は、揺動ブラケットの、支持ねじを中心とする揺動を許容する大きさとなされ、この開口の近傍に、揺動ブラケットを膨出させてなる補強リブが形成されているものである。
（２）請求項２の発明は、引き戸本体と、この引き戸本体の前面に取り付けられた把手と、引き戸本体の後面に取り付けられた車輪ユニットとを有し、前記把手は、引き戸本体の後面から引き戸本体に形成された貫通孔を通じて把手の上下部に形成されたねじ孔にねじ嵌められた上下の把手固定ねじにより引き戸本体に固定され、前記車輪ユニットは、前後方向に貫通した、高さ方向の中間部に位置する枢軸孔を有する揺動ブラケットと、枢軸孔を通じて引き戸本体にねじ嵌められた支持ねじと、揺動ブラケットの、枢軸孔を境とした上部又は下部に枢軸孔から水平方向に所定距離だけ離れた位置に位置するようにして設けられた軸心を前後方向に向けた車軸と、この車軸に回転自在に設けられた車輪と、前記揺動ブラケットの、枢軸孔を境として車輪と反対側部に形成された、左右方向に長い長孔と、この長孔を通じて引き戸本体にねじ嵌められた固定ねじとを有し、前記固定ねじを緩めた状態では、固定ねじは揺動ブラケットの揺動を許容するようになされ、前記揺動ブラケットは、一方の把手固定ねじと重なるかたちで引き戸本体に固定されるようになされ、揺動ブラケットには把手固定ねじの頭部が嵌まる凹所が形成され、この凹所は、揺動ブラケットの、支持ねじを中心とする揺動を許容する大きさとなされているものである。
【０００４】
【発明の効果】
本発明は前記した如き構成によって以下の如き効果を奏する。
（１）請求項１の発明によれば、車輪の高さ位置調節機能を損なうことなく、把手と車輪ユニットとを正面から見て近接して設けることが出来る。
（２）請求項２の発明によれば、車輪の高さ位置調節機能を損なうことなく、把手と車輪ユニットとを正面から見て近接して設けることが出来る。
【０００５】
【発明の実施の形態】
以下に本発明の実施の形態を説明する。
なお、この説明において、前とは図１紙面表側を、後とは同裏側をいい、左とは図１左側を、右とは同図右側をいう。
【０００６】
収納庫１は、左右幅が２４０ｃｍ前後で、高さが８４ｃｍ前後で、前後長さが２０〜３０ｃｍ前後である。
【０００７】
収納庫１は、天板３と、底板４と、天板３の左端と底板４の左端とに渡し止められた左の側板５と、天板３の右端と底板４の右端とに渡し止められた右の側板５と、天板３、底板４、左右の側板５の後部に取り付けられた背板６とを有すると共に前部に出し入れ口８を有している。
【０００８】
前記収納庫１の物品収納空間９は、左右の仕切板１０により３つに分割され、物品収納空間９には所要段の棚板１１が設けられている。前記仕切板１０の前端面は、天板３の前端面及び底板４の前端面を含む仮想垂直面内に位置している。
【０００９】
前記天板３の前端面及び底板４の前端面の各々に、引き戸用ガイドレール１４が取り付けられている。引き戸用ガイドレール１４は、基部壁１５と、基部壁１５の下部に連設された、案内溝１７を有する下部壁１６と、基部壁１５の上部に連設された上部壁１８をと有している。
【００１０】
前記上下の引き戸用ガイドレール１４に、以下に詳述する、２枚の引き戸１３が左右動自在に案内されている。なお、云うまでもないが、引き戸１３の左右動を許容するように、収納庫１の中央部に引き戸１３が存在しないスペースが形成されている。
前記引き戸１３は、引き戸本体２２と、この引き戸本体２２の前面に取り付けられた把手２３と、引き戸本体２２の後面の４隅に取り付けられた車輪ユニット２４とを有している。図１に示すごとく、左側の引き戸１３の把手２３は左側に設けられ、右側の引き戸１３の把手２３は右側に設けられている。
【００１１】
前記把手２３は、引き戸本体２２の後面から引き戸本体２２に形成された貫通孔２７を通じて把手２３の上下部に形成されたねじ孔２８にねじ嵌められた上下の把手固定ねじ２９により引き戸本体２２に固定されている。
【００１２】
図２〜図４に示す、左側の引き戸１３の上部左側の車輪ユニット２４は、前後方向に貫通した、高さ方向の中間部に位置する枢軸孔３２を有する揺動ブラケット３３と、枢軸孔３２を通じて引き戸本体２２にねじ嵌められた支持ねじ３４と、揺動ブラケット３３の、枢軸孔３２を境とした上部に枢軸孔３２から水平方向に所定距離だけ離れた位置に位置するようにして設けられた軸心を前後方向に向けた車軸３５と、この車軸３５に回転自在に設けられた車輪３６と、揺動ブラケット３３の、枢軸孔３２を境として車輪３６と反対側部（下部）に形成された、左右方向に長い長孔３７（例えば、枢軸孔３２を中心とする円弧状の長孔）と、この長孔３７を通じて引き戸本体２２にねじ嵌められた固定ねじ３８とを有している。前記固定ねじ３８を緩めた状態で、揺動ブラケット３３を所定の揺動範囲で揺動させた際、固定ねじ３８の軸部は長孔３７と衝突・干渉しないようになされている。即ち、緩められた固定ねじ３８は揺動ブラケット３３の揺動を許容するようになされている。他方、固定ねじ３８を締め付けると、固定ねじ３８の頭部で長孔３７の縁部を引き戸本体２２に押し付けて、固定ねじ３８は揺動ブラケット３３を固定することが出来る。長孔３７の縁部には、揺動ブラケット３３の傾斜状態を示す指標３９が形成されている。
【００１３】
前記車輪３６はフランジ４０を有しており、このフランジ４０が案内溝１７に嵌まっている。
【００１４】
なお、右側の引き戸１３の上部左側の車輪ユニット２４は、図２〜図４に示す車輪ユニット２４と同一である。各引き戸本体２２に設けられた上部の右側の車輪ユニット２４は、引き戸本体２２の左右方向中央に鏡面を左側に向けるようにして置いた鏡で左側の車輪ユニット２４を映したときに表われる像と同一の形状をしている。また、下側の車輪ユニット２４は、上下方向中央に鏡面を上側に向けるようにして置いた鏡で上側の車輪ユニット２４を映したときに表われる像と同一の形状をしている。
【００１５】
前記左側の引き戸１３の上部左側（上部一番左側）の車輪ユニット２４は、上側の把手固定ねじ２９と重なるかたちで引き戸本体２２に固定されるようになされている。また、前記右側の引き戸１３の上部右側（上部一番右側）の車輪ユニット２４は、上側の把手固定ねじ２９と重なるかたちで引き戸本体２２に固定されるようになされている。
【００１６】
前記上部一番左側の車輪ユニット２４の揺動ブラケット３３及び上部一番右側の車輪ユニット２４の揺動ブラケット３３には、把手固定ねじ２９の頭部２９ａが嵌まる開口４１が形成され、この開口４１は、揺動ブラケット３３の、支持ねじ３４を中心とする所定範囲の揺動を許容する大きさとなされ、この開口４１の近傍に、金属製の揺動ブラケット３３を後方に向けて膨出させてなる補強リブ４２が形成されている。
【００１７】
なお、部材の共通化を図る観点から、上部一番左側の車輪ユニット２４及び上部一番右側の車輪ユニット２４以外の、揺動ブラケット３３にも、開口４１は形成されている。更に詳述すれば、上部一番左側の車輪ユニット２４と上部一番右側の車輪ユニット２４とを、その他の場所の車輪ユニット２４として使用するようにしているものである。
【００１８】
【変形例等】
以下に変形例等について説明を加える。
（１）把手２３が下側に片寄って設けられる場合、下側の把手固定ねじ２９の頭部２９ａが下側の車輪ユニット２４の揺動ブラケット３３の開口４１に嵌まるようにして、下側の車輪ユニット２４が引き戸本体２２に取り付けられる。
（２）前記開口４１を、図２の一点鎖線で示す覆い４３で覆うようにしてもよい。この覆い４３は、金属製の揺動ブラケット３３を後方に向けて膨出させて形成することが出来る。前記覆い４３の窪んだ内面が凹所４４を構成している。前記凹所４４は、揺動ブラケット３３の、支持ねじ３４を中心とする揺動を許容する大きさとなされている。なお、前記覆い４３を有する変形例の場合においては、補強リブ４２は形成されない場合もある。また、覆い４３が側板５と衝突・干渉しないようにするために［換言すれば、覆い４３が側板５より内側（中央側）に位置するようにするために］、車輪ユニット２４及び把手２３を、引き戸本体２２の左右方向中央寄りに位置させるなどする。この変形例が、請求項２の発明の実施の形態である。
（３）背板６はない場合もある。
【図面の簡単な説明】
【図１】本発明の実施の形態を示す簡略正面図である。
【図２】図１のＩＩ−ＩＩ線に沿う中間省略の拡大断面図である。
【図３】図２のＩＩＩ−ＩＩＩ線拡大断面図である。
【図４】図３のＩＶ−ＩＶ線拡大端面図である。
【符号の説明】
１  収納庫
１３  引き戸
２２  引き戸本体
２３  把手
２４  車輪ユニット
２７  貫通孔
２８  ねじ孔
２９  把手固定ねじ
２９ａ  頭部
３２  枢軸孔
３３  揺動ブラケット
３４  支持ねじ
３５  車軸
３６  車輪
３７  長孔
３８  固定ねじ
【図１】
2004339856.tif 000003
【図２】
2004339856.tif 000004
【図３】
2004339856.tif 000005
【図４】
2004339856.tif 000006
【手続補正書】
【提出日】平成15年5月29日(2003.5.29)
【手続補正１】
【補正対象書類名】図面
【補正対象項目名】図１
【補正方法】変更
【補正の内容】
【図１】
2004339856.tif 000007